【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
患者の耳鳴り感覚に対してマッチするカスタマイズされた音を生成するように構成されたサウンドマッチングステーションと、
患者に対して再生される該カスタマイズされた音のコピーを該サウンドマッチングステーションから受け取りかつ記憶するオーディオデバイスと
を含む、患者に対する耳鳴り治療のためのシステム。
【請求項２】
サウンドマッチングステーションが、
カスタマイズされた音を創出するように構成されたカスタマイズされた音響療法アプリケーションと、
患者のためのカスタマイズされた音を創出するための該カスタマイズされた音響療法アプリケーションへのユーザ入力を容易にするグラフィカルユーザインタフェースと
を含む、請求項1記載のシステム。
【請求項３】
カスタマイズされた音響療法アプリケーションが、音響信号を合成してカスタマイズされた音を創出するように構成された音響コンパイラを含む、請求項2記載のシステム。
【請求項４】
グラフィカルユーザインタフェースが、
（a）試験音を開発して患者の耳鳴り感覚の個々の成分とマッチさせるためのユーザ制御を容易にするマッチ試験セクション、
（b）合成音の再生のユーザ制御を容易にする再生セクション、
（c）合成される試験音の試験成分の性質のユーザ制御を容易にする成分セクション、および
（d）試験音へと合成される一つまたは複数の試験成分のユーザ選択を容易にするマスタセクション
の少なくとも一つのためのユーザ入力を容易にするように構成されている、請求項2記載のシステム。
【請求項５】
マッチ試験セクションが、成分の信号タイプ、周波数、バンド幅および振幅レベルの少なくとも一つを含む試験音の性質のユーザ制御を容易にするように構成されている、請求項4記載のシステム。
【請求項６】
マッチ試験セクションがさらに、一度に複数の試験音を開発して該試験音を比較のために順次に成分とマッチさせることができるようにするためのユーザ制御を容易にするように構成されている、請求項5記載のシステム。
【請求項７】
成分セクションが、信号タイプ、周波数、バンド幅、レベルおよびチャネル選択の少なくとも一つのユーザ制御を容易にするように構成されている、請求項4記載のシステム。
【請求項８】
オーディオデバイスが、ポータブルであり、かつサウンドマッチングステーションから切り離されたのちユーザによって再生されるカスタマイズされた音のデジタルコピーを記憶し、かつ記憶されている特定のカスタマイズされた音を繰り返し再生するように構成されている、請求項1記載のシステム。
【請求項９】
オーディオデバイスが、再生に使用された音量レベルを含むカスタマイズされた音についての患者の再生記録を維持するように構成されている、請求項8記載のシステム。
【請求項１０】
オーディオデバイスが再びサウンドマッチングステーションに接続されたとき、記録が該サウンドマッチングステーションに送られる、請求項9記載のシステム。
【手続補正２】
【補正対象書類名】明細書
【補正対象項目名】００１０
【補正方法】変更
【補正の内容】
【００１０】
本発明の一つの局面において、カスタマイズされた音響療法（CST）の実現のための統合システムが開発される。CSTシステムは、耳鳴りを治療し、軽減し、管理するための装置、デバイス、コンポーネント、プロセスおよび方法を含む。CSTシステムは、患者を試験し、治療するために人（たとえば有資格健康管理専門家、たとえば耳鼻咽喉科医、聴覚訓練士もしくは他の有資格専門家または十分な訓練を積んだ患者個人自身）によって使用される。本発明の一つの態様は、（1）CSTアプリケーションを含む処理システム、CST音を生成するための音響コンパイラ、グラフィカルユーザインタフェース（GUI）、高品質デジタルオーディオファイル出力のための出力を有する専用の電子デバイスであるサウンドマッチングステーション（SMS）、（2）患者に対してCST音を再生するためのオーディオデバイスを含むシステムを含む。一つの態様において、オーディオデバイスはポータブルサウンドプレーヤ（PSP）を含む。ステレオ式再生を使用するPSPはデジタルオーディオファイルをCST音に変換し、そのCST音は、患者に提供された高忠実度イヤフォンおよび試験者のための高忠実度イヤフォンに通して聴くことができる。
[請求項1001]
患者の耳鳴り感覚に対してマッチするカスタマイズされた音を生成するように構成されたサウンドマッチングステーションと、
患者に対して再生される該カスタマイズされた音のコピーを該サウンドマッチングステーションから受け取りかつ記憶するオーディオデバイスと
を含む、患者に対する耳鳴り治療のためのシステム。
[請求項1002]
サウンドマッチングステーションが、
カスタマイズされた音を創出するように構成されたカスタマイズされた音響療法アプリケーションと、
患者のためのカスタマイズされた音を創出するための該カスタマイズされた音響療法アプリケーションへのユーザ入力を容易にするグラフィカルユーザインタフェースと
を含む、請求項1001記載のシステム。
[請求項1003]
カスタマイズされた音響療法アプリケーションが、音響信号を合成してカスタマイズされた音を創出するように構成された音響コンパイラを含む、請求項1002記載のシステム。
[請求項1004]
グラフィカルユーザインタフェースが、
（a）試験音を開発して患者の耳鳴り感覚の個々の成分とマッチさせるためのユーザ制御を容易にするマッチ試験セクション、
（b）合成音の再生のユーザ制御を容易にする再生セクション、
（c）合成される試験音の試験成分の性質のユーザ制御を容易にする成分セクション、および
（d）試験音へと合成される一つまたは複数の試験成分のユーザ選択を容易にするマスタセクション
の少なくとも一つのためのユーザ入力を容易にするように構成されている、請求項1002記載のシステム。
[請求項1005]
マッチ試験セクションが、成分の信号タイプ、周波数、バンド幅および振幅レベルを含む試験音の性質のユーザ制御を容易にするように構成されている、請求項1004記載のシステム。
[請求項1006]
マッチ試験セクションがさらに、一度に複数の試験音を開発して該試験音を比較のために順次に成分とマッチさせることができるようにするためのユーザ制御を容易にするように構成されている、請求項1005記載のシステム。
[請求項1007]
成分セクションが、信号タイプ、周波数、バンド幅、レベルおよびチャネル選択の少なくとも一つのユーザ制御を容易にするように構成されている、請求項1004記載のシステム。
[請求項1008]
オーディオデバイスが、ポータブルであり、かつサウンドマッチングステーションから切り離されたのちユーザによって再生されるカスタマイズされた音のデジタルコピーを記憶し、かつ記憶されている特定のカスタマイズされた音を繰り返し再生するように構成されている、請求項1001記載のシステム。
[請求項1009]
オーディオデバイスが、再生に使用された音量レベルを含むカスタマイズされた音についての患者の再生記録を維持するように構成されている、請求項1008記載のシステム。
[請求項1010]
オーディオデバイスが再びサウンドマッチングステーションに接続されたとき、記録が該サウンドマッチングステーションに送られる、請求項1009記載のシステム。
[請求項1011]
サウンドマッチングステーションを使用して、患者の耳鳴り感覚に対してカスタマイズされた音を生成し、マッチさせる工程と、
該カスタマイズされた音のコピーを該サウンドマッチングステーションから受け取り、オーディオデバイスに記憶させる工程と、
該カスタマイズされた音を患者に対して再生する工程と
を含む、耳鳴り治療を患者に提供する方法。
[請求項1012]
カスタマイズされた音が、
音響信号を合成してカスタマイズされた音を創出する工程と、
患者のためのカスタマイズされた音の創出を制御するためのユーザ入力を提供するグラフィカルユーザインタフェースと対話する工程と
によって生成され、かつマッチする、請求項1011記載の方法。
[請求項1013]
音響信号が、音響信号を合成してカスタマイズされた音を創出するように構成された音響コンパイラを含む、カスタマイズされた音響療法アプリケーションによって合成される、請求項1012記載の方法。
[請求項1014]
（a）患者の耳鳴り感覚の個々の成分とマッチさせるための試験音の開発のユーザ制御、
（b）合成音の再生のユーザ制御、
（c）合成される試験音の試験成分の性質のユーザ制御、および
（d）試験音へと合成される一つまたは複数の試験成分のユーザ選択
の少なくとも一つのためのユーザ入力を提供するためのグラフィカルユーザインタフェースと対話する、請求項1012記載の方法。
[請求項1015]
工程（a）が、成分の信号タイプ、周波数、バンド幅および振幅レベルの少なくとも一つを含む試験音の性質のユーザ制御を含む、請求項1014記載の方法。
[請求項1016]
工程（a）がさらに、一度に複数の試験音を開発して該試験音を比較のために順次に成分とマッチさせることができるようにするユーザ制御を含む、請求項1015記載の方法。
[請求項1017]
工程（c）が、信号タイプ、周波数、バンド幅、レベルおよびチャネル選択の少なくとも一つのユーザ制御を含む、請求項1014記載の方法。
[請求項1018]
オーディオデバイスが、ポータブルであり、かつサウンドマッチングステーションから切り離されたのちユーザによって再生されるカスタマイズされた音のデジタルコピーを記憶し、かつ記憶されている特定のカスタマイズされた音を繰り返し再生するように構成されている、請求項1011記載の方法。
[請求項1019]
オーディオデバイスが、再生に使用された音量レベルを含むカスタマイズされた音についての患者の再生記録を維持するように構成されている、請求項1018記載の方法。
[請求項1020]
オーディオデバイスが再びサウンドマッチングステーションに接続されたとき、記録が該サウンドマッチングステーションに送られる、請求項1019記載の方法。